(57)【要約】水溶性単位容量物（３）のためのパッケージ化と、水溶性単位容量物（３）を収容するパッケージ。
2021500278.tif 000002
【特許請求の範囲】
【請求項１】
容器（２）と、その内部に収容された少なくとも１つの水溶性単位容量物（３）と、を含む消費製品（１）であって、
前記容器（２）は、
−基部（４）と、
−前記基部（４）に対向して位置決めされた開口（５）と、
−前記基部（４）から前記開口（５）まで垂直に延在する少なくとも１つの壁部（６）であって、前記少なくとも１つの壁部（６）は、前記少なくとも１つの壁部（６）の上方縁部（７）で終端し、前記壁部（６）は、内面（８）と、外面（９）と、を備え、
−前記基部（４）及び前記少なくとも１つの壁部（６）は、内部コンパートメント（１０）を画定し、前記内部コンパートメント（１０）は、前記開口（５）からアクセス可能である、前記壁部（６）と、
−少なくとも１つのヒンジ（１２）を介して、開放位置から閉鎖位置まで移動可能であり、前記閉鎖位置にあるとき、前記開口（５）を覆う蓋部（１１）と、を備え、
前記容器（２）は、少なくとも１つの係止手段（１３）を備え、前記係止手段は、蓋部要素（１４）と、壁部要素（１５）と、を備え、
前記壁部要素（１５）は、前記少なくとも１つの壁部（６）の前記上方縁部（７）、又は、前記少なくとも１つの壁部（６）の前記内面（８）から延在した支持部材（１６）と、フック部材（１７）と、を備え、
前記蓋部（１１）が閉鎖位置にあるとき、前記フック部材（１７）は、前記蓋部要素（１４）と係合して、前記フック部材（１７）への力の付与のみによって、前記蓋部要素（１４）から前記壁部要素（１５）を係合解除し、
前記フック部材（１７）は、前記支持部材（１６）から前記容器（１０）の内部に向かって延在し、前記蓋部要素（１４）から前記壁部要素（１５）を係合解除するには、前記フック部材（１７）への力の付与を必要とし、前記力の付与は、前記内面（８）に向かう方向であることを特徴とする消費製品（１）。
【請求項２】
前記少なくとも１つの壁部（６）の前記外面（９）は、何らの係止手段も備えない、請求項１に記載の消費製品（１）。
【請求項３】
前記少なくとも１つの壁部（６）は、少なくとも２つのセクション（２１、２２）を備え、前記セクションは、互いに接合され、前記セクションは、好ましくは、接着剤、機械的接続、又はこれらの組み合わせにより、互いに接合されている、請求項１又は２に記載の消費製品（１）。
【請求項４】
少なくとも２つの係止手段（１３）を備え、前記少なくとも２つの係止手段（１３）は、好ましくは、５０ｍｍ〜１８０ｍｍの距離だけ離間し、前記２つの係止手段（１３）は、好ましくは、同一の壁部上に位置決めされ、前記ヒンジ（１２）は、第２壁部（６２）上に存在し、前記少なくとも２つの係止手段は、第１の壁部（６１）上に存在することが好ましく、前記第１の壁部（６１）は、前記第２の壁部（６２）に対向する、請求項１〜３のいずれかに記載の消費製品（１）。
【請求項５】
前記支持部材（１６）は、前記少なくとも１つの壁部（６）の前記内面（８）から延在し、前記壁部要素（１５）は、好ましくは、前記少なくとも１つの壁部（６）の前記上方縁部（７）より高く延在することのないように、位置決めされている、請求項１〜４のいずれかに記載の消費製品（１）。
【請求項６】
前記蓋（１１）は、外側隆起部（２４）で包囲された陥没部（２３）を備え、前記蓋部要素（１４）は、好ましくは、前記外側隆起部（２４）内に含まれ、前記外側隆起部（２４）は、好ましくは、内側（２５）と、外側（２７）と、頂上部（２６）と、を備え、前記蓋部要素（１４）は、前記内側（２５）、前記頂上部（２６）、又はこれらの組み合わせ内に含まれる、請求項１〜５のいずれかに記載の消費製品（１）。
【請求項７】
前記蓋部（１１）は、閉鎖位置にあるとき、前記蓋部（１１）の横断面積として規定される設置面積を有し、前記容器（２）は、前記容器（２）に亘る最大横断面積として規定される設置面積を有し、前記蓋部（１１）の前記設置面積は、前記容器（２）の前記設置面積より大きく、リップ（３５）は、前記少なくとも１つの壁部（６）の前記外面（９）から延在して、前記リップ（３５）の前記設置面積が、前記蓋部（１１）の前記設置面積と同一であるか、これを超えるようにする、請求項１〜６のいずれかに記載の消費製品（１）。
【請求項８】
前記容器（２）は、前記容器（２）に亘る横断面積として規定された設置面積を有し、前記少なくとも１つの係止手段（１３）は、前記容器（２）の前記設置面積を超えて延在しない、請求項１〜７のいずれかに記載の消費製品（１）。
【請求項９】
前記壁部要素（１５）が前記蓋部要素（１４）と係合すると、前記支持部材（１６）及び前記フック部材（１７）は、前記フック部材（１７）が移動に抵抗する一方で、前記壁部要素（１５）の前記蓋部要素（１４）への係合によって及ぼされる力（２８）に応じて、前記壁部要素（１５）を全体として移動させる（２９）ように配置されている、請求項１〜８のいずれかに記載の消費製品（１）。
【請求項１０】
前記容器（２）は、第１の壁部（６１）と、第２の壁部（６２）とを備え、前記ヒンジ（１２）は、前記第２の壁部（６２）に接続され、前記第１の壁部（６１）は、前記第２の壁部（６２）に対向して位置決めされ、前記第１の壁部（６１）は、少なくとも１つの壁部要素（１５）を備え、好ましくは、少なくとも２つの壁部要素（１５）を備える、請求項１〜９のいずれかに記載の消費製品（１）。
【請求項１１】
前記容器（２）は、天然材料、合成材料、又はこれらの組み合わせで作製され、好ましくは、合成材料で作製され、より好ましくは、プラスチックで作製されており、前記容器（２）は、好ましくは、不透明、半透明、又はこれらの組み合わせである、請求項１〜１０のいずれかに記載の消費製品（１）。
【請求項１２】
前記水溶性単位容量物（３）は、水溶性フィルム（３０１、３０２）と、洗剤組成物（３０４）、好ましくは、洗濯洗剤組成物と、を備える、請求項１〜１１のいずれかに記載の消費製品（１）。
【請求項１３】
前記壁部要素（１５）を前記蓋部要素（１４）から係止解除することは、前記蓋部（１１）又は前記少なくとも１つの壁部（６）を変形させない、請求項１〜１２のいずれかに記載の消費製品（１）。
【請求項１４】
前記支持部材（１６）及び前記フック部材（１７）は、前記壁部要素（１５）が逆Ｕ字形状となるように配置され、任意で、前記Ｕ字形状は、前記内壁（８）又は前記上方縁部（７）から前記支持部材（１６）まで延在する水平接続部材（１８）を介して、前記内壁（８）又は前記上方縁部（７）に取り付けられている、請求項１〜１３のいずれかに記載の消費者製品（１）。
【発明の詳細な説明】
【技術分野】
【０００１】
本発明は、水溶性単位容量物のパッケージ化と、水溶性単位容量物を含むパッケージとに関連する。
【背景技術】
【０００２】
水溶性単位容量物は、洗浄作業に使用すると便利で効率的であるため、消費者に好まれる。このような物品は、少なくとも１つの内部コンパートメントを規定する水溶性フィルムを備え、このコンパートメントは、洗剤組成物を収容する。
【０００３】
水溶性単位容量物は、多くの場合、蓋付きの容器に入れて消費者に販売される。蓋の閉鎖は、内部の水溶性単位容量物の物理的安定性に影響し得る、容器への水分の侵入を最少化することを目的としている。このような侵入は、洗浄作業（洗濯又は食器洗浄等）の近辺で見られるような高湿度環境で、特に問題となる。蓋の閉鎖はまた、意図しないとき、さもなければ所望でないとき、例えば、容器が落下する、上下逆になる、又は横倒しになる場合に、容器から物品がこぼれたり、取り除かれたりすることを減らすことを目的としている。したがって、このような容器は、不使用時には蓋部が確実に閉鎖されるように、係止手段を備えて製造される。
【０００４】
また容器の蓋部が閉鎖されているとき、係止手段は、子ども（５歳未満）が容器の内容物にアクセスでき、次いでこの水溶性単位容量物に露出されることがないように機能する。
【０００５】
従来、このような容器は、係止手段が容器の前方外面に配置されるように製造された。このようなタイプの係止手段は、蓋部上の部品と、容器壁部上の部品と、を備え、ユーザが、蓋部要素を容器に向かって押すか、又は容器から離れるように引いて、壁部要素から解放することで、係合解除されるものであった。しかしながら、このような係止手段の位置に関する１つの潜在的問題として、これらは、搬送中、特に、ダメージを低減する特別な方法で搬送用に包装されていない場合、ダメージを受ける傾向にあった。このダメージは、隣接する容器同士がぶつかり合うこと、又は、互いにこすれ合って、タブの外面の係止手段にダメージを受けること、によって生じるものであった。
【０００６】
このような問題を克服する試みとして、製造業者らは、対応する蓋部要素は蓋部に留めたまま、係止の壁部要素を容器壁部の頂上部に再配置した。このように係止手段を再配置しても、大人にとっては、開放方法が依然として直感的でありつつも、製造、輸送、及び保管中にダメージを受ける機会を低減した。また、このように係止手段を再配置することで、子どもにとっては、容器に係止手段を配置することが更に更困難になる。
【０００７】
しかしながら、このような係止手段は、消費者が蓋を上げつつ、同時に壁部要素をユーザから離れるように押すことを要するため、消費者にとって係合解除することが困難になり得ることが分かった。この結果として、係止の係合解除ではなく、単に消費者から離れるように押される容器となり、及び／又は、全ての作業が消費者にとって手指にぎこちなく、不快となるものであった。
【０００８】
ＵＳ２０１５０３１５５３２号は、ユーザフレンドリな方法で開放可能な蓋部を備えた容器を開示している。この容器は、２つの閉鎖手段を有し、第１の閉鎖手段は、各フレームセクションに直接力を付与することで開放可能であり、第２の閉鎖手段は、各蓋部セクションに直接力を付与することで開放可能である。
【０００９】
したがって、当分野において、水溶性単位容量物を収容した容器であって、使用中、効果的に蓋部を閉鎖したままとし、係止手段が容器正面に取り付けられることに関連してダメージを受けることなく、一方で、消費者が依然として快適且つ直感的に操作できるようにした、係止手段を備える容器のニーズが残っている。また、この容器は、蓋部の閉鎖時、子どもが容器の内容物にアクセスできないようにしなければならない。
【先行技術文献】
【特許文献】
【００１０】
【特許文献１】ＵＳ２０１５０３１５５３２号
【発明の概要】
【発明が解決しようとする課題】
【００１１】
驚くべきことに、本発明に係る容器がこのような問題を克服することが見出された。理論に束縛されるものではないが、本容器の係止手段では、ユーザが、係止手段の係合解除を行うのに「挟む動作」の作業を行うことを要する。このような動作は、人間の手にとってより快適且つ直感的であり、消費者が同時に蓋部を持ちあげることもできるようにする。ロック手段はまた、不使用時、蓋部を効果的に閉鎖して保つ。
【００１２】
更に、水溶性単位容量物を収容する容器の効率的な製造は、製造中に閉鎖手段がダメージを受ける機会を減らすことで、改善可能である。
【課題を解決するための手段】
【００１３】
本発明の第１の態様は、容器（２）と、内部に収容された少なくとも１つの水溶性単位容量物（３）と、を備える消費製品（１）であって、
当該容器（２）は、
−基部（４）と、
−基部（４）に対向して位置決めされた開口と、
−当該基部（４）から当該開口まで垂直に延在する少なくとも１つの壁部（７）であって、当該少なくとも１つの壁部（７）は、当該少なくとも１つの壁部（７）の上方縁部（８）で終端し、当該壁部（７）は、内面（９）と、外面（１０）と、を備え、
−当該基部（４）及び少なくとも１つの壁部（７）は、内部コンパートメント（１１）を規定し、内部コンパートメント（１１）は、開口からアクセス可能である、壁部（７）と、
−少なくとも１つのヒンジ（１３）を介して、開放位置から閉鎖位置まで移動可能であり、閉鎖位置にあるとき、開口（６）を覆う蓋部（１２）と、を備え、
容器（２）は、少なくとも１つの係止手段を備え、係止手段は、蓋部要素（１４）と、壁部要素（１５）と、を備え、
壁部要素（１５）は、少なくとも１つの壁部（７）の上方縁部（８）、又は、少なくとも１つの壁部（７）の内面（９）から延在した支持部材（１６）と、フック部材（１７）と、を備え、
蓋部（１２）が閉鎖位置にあるとき、フック部材（１７）は、蓋部要素（１４）と係合して、フック部材（１７）への力の付与のみによって、蓋部要素（１４）から壁部要素（１５）を係合解除し、
フック部材（１７）は、支持部材（１６）から容器の内部に向かって延在し、蓋部要素（１４）から壁部要素（１５）を係合解除するには、フック部材（１７）への力の付与を必要とし、力の付与は、内面（９）に向かう方向であることを特徴とする消費製品（１）。
【図面の簡単な説明】
【００１４】
【図１】容器と、内部に収容される少なくとも１つの水溶性単位容量物と、を備えた本発明に係る消費製品を開示している。
【図２】少なくとも１つの壁部の内面に直接取り付けられた支持部材を備える、壁部要素の断面図を開示している。
【図３】壁部要素が、少なくとも１つの壁部の上方縁部に取り付けられた支持部材を備えることを示す、断面図を開示している。
【図４】壁部要素が、水平接続部材を介して、少なくとも１つの壁部の内面に取り付けられる支持部材を備えることを示す、断面図を開示している。
【図５】壁部要素が、水平接続部材を介して、少なくとも１つの壁部の内面に取り付けられる支持部材を備えることを示す、断面図を開示している。
【図６】蓋部が閉鎖位置にあることを示す、断面図を開示している。壁部要素は、蓋部要素と係合し、蓋部は、定位置に係止されている。
【図７】フック部材に対して内壁に向かう方向に力を付与することで、蓋部要素を壁部要素から解放し、蓋部を開口から離れて径方向に移動させることを示す、断面図を開示している。
【図８】容器の展開図を開示しており、少なくとも１つの壁部が、２つのセクション、基部に接続される下方セクションと及び上方セクションを備えることを示している。上方縁部は、上方セクション上に位置決めされ、壁部要素は、上方セクションに取り付けられる。
【図９】容器の上面図を開示しており、容器が、容器に亘る横断面積として規定される設置面積を有し、少なくとも１つの係止手段が、容器の設置面積を超えて延在しないことを示している。
【図１０】容器の上面図を開示しており、容器が、容器に亘る横断面積として規定される設置面積を有し、少なくとも１つの係止手段が、容器の設置面積を超えて延在することを示している。
【図１１】蓋部が、外側隆起部で包囲された陥没部を備え、蓋部要素が、外側隆起部内に含まれることを開示している。
【図１２】消費製品を開示しており、容器の少なくとも１つの壁部は、２つのセクション、上方セクション及び下方セクションを備えることを示している。この容器は、リップを備える。
【図１３】第１の壁部及び第２の壁部を備える容器の断面図を開示しており、ヒンジは、第２の壁部に接続され、第１の壁部は、第２の壁部に対向して位置決めされ、第１の壁部は、少なくとも１つの係止手段、好ましくは、少なくとも２つの係止手段を備えることを示している。
【図１４】蓋部要素が壁部要素と係合する間の壁部要素の移動を示す図である。
【図１５】容器の断面図であり、隆起領域を備えた基部を示している。
【図１６】図１２と同一であるが、少なくとも１つの側方が湾曲している。
【図１７】容器を開示しており、蓋部が閉鎖され、蓋部上に反力領域が見られることを示している。
【図１８】壁部要素を開示しており、フック部材が、第１の軸及び第２の軸を有することを示している。
【図１９】本発明に係る水溶性単位容量物を開示している。
【図２０】本発明に係る壁部要素を開示している。
【発明を実施するための形態】
【００１５】
消費製品
本発明は、容器と、少なくとも１つの水溶性単位用量物と、を備える消費製品である。
【００１６】
少なくとも１つの水溶性単位容量物は、容器内に収容される。容器と、水溶性単位用量物とについて、以下、より詳細に記載する。
【００１７】
消費製品は、「そのまま」販売されてもよく、言い換えると、消費製品は、消費者が棚から手に取る商品である。あるいは、消費製品は、複数要素の製品が１つの単位として収容されていてもよい。例えば、１個より多い消費製品が、外側パッケージ内に封入されていてもよく、複数のパッケージ化された消費製品が、１回の購入で一緒に販売されてもよい。
【００１８】
消費財製品は、審美的な要素、例えば、シュリンクスリーブ又は容器に貼り付けられたラベルを含んでいてもよい。あるいは、容器は、着色していてもよく、又は審美的な要素若しくは情報を含む印刷物（例えば、使用指示）と共に印刷されていてもよい。
【００１９】
容器
消費製品は、容器を備える。容器は、少なくとも１つの水溶性単位用量物品を含むことができる必要がある。容器は、容器内に含まれる水溶性単位用量物品の数に応じて、任意の好適なサイズを有していてもよい。
【００２０】
容器は、任意の好適な形状を有し得る。容器は、全体的に直線の形状を有していてもよく（例えば、直線の辺を有する）、又は湾曲した形状を有していてもよく、又は直線部分と湾曲した部分の両方を含んでいてもよい。容器は、平坦な表面と、エンボス又は他の構造的な要素を含む（例えば、把持性又は構造的な一体性を向上させるために設計された）表面とを含んでいてもよい。
【００２１】
好ましくは、容器は、底部の頂部から見たときに矩形形状を有する。底部から見たとき、この矩形形状は、１．５：１〜２．５：１の長さ対幅の比率を有する。
【００２２】
この容器は、１００ｍｍ〜３００ｍｍ、好ましくは、１４０ｍｍ〜２６０ｍｍの測定長さを有してもよい。この容器は、６０ｍｍ〜１４０ｍｍ、好ましくは、６５ｍｍ〜１１５ｍｍの測定幅を有してもよい。
【００２３】
容器は、任意の好適な形状を有し得る。当業者であれば、好適な材料は認識されるであろう。容器は、立方体の形状、円筒形の形状、長方形の形状、又はこれらの混合を有していてもよい。容器が、全体的に直線の形状を有していてもよいが（例えば長方形）、湾曲した壁を含んでいてもよい。例えば、上から見たときに、容器は、長方形の形状を有していてもよいが、前から見たときに、容器の上部から容器の底部まで湾曲した、凸型に湾曲した壁を含んでいてもよい。
【００２４】
容器は、任意の好適な材料から作製することができる。容器は、天然材料、合成材料、又はこれらの混合物から作られていてもよく、好ましくは、合成材料、更に好ましくはプラスチックから作られていてもよい。
【００２５】
容器は、プラスチック材料、金属材料、紙材料、又はこれらの混合物から作られてもよい。容器は、リサイクル材料を含む材料から作られてもよい。
【００２６】
容器は、プラスチック材料、好ましくはポリオレフィン材料から作製することができる。容器は、ポリプロピレン、ポリスチレン、ポリエチレン、高密度ポリエチレン、ポリエチレンテレフタラート、ポリ塩化ビニル、アクリロニトリルブタジエンスチレン、ポリカーボネート、ポリアミド、又はこれらの混合物から作られてもよい。好ましくは、容器は、ポリプロピレン、ポリスチレン、高密度ポリエチレン、ポリエチレンテレフタラート、又はこれらの混合物から作られてもよい。
【００２７】
プラスチック材料は、引張係数が１２５０ＭＰａ〜３０００ＭＰａ、好ましくは１３００ＭＰａ〜２３００ＭＰａの範囲であってもよい。当業者は、当該技術分野で一般的に知られている技術を用いてどのように引張係数を測定するかを知っているだろう。
【００２８】
容器は、金属材料から作られていてもよく、金属材料は、好ましくは、アルミニウム、鋼鉄、又はこれらの混合物から選択される。
【００２９】
容器は、紙材料から作られていてもよく、紙材料は、好ましくは、ボール紙、ラミネート、セルロースパルプ材料、又はこれらの混合物から選択される。
【００３０】
容器を製造するために使用される材料は、他の成分、例えば、着色剤、防腐剤、可塑剤、ＵＶ安定化剤、酸素、香料、リサイクル材料、防湿剤、又はこれらの混合物を含んでいてもよい。容器は、外部又は内部の印刷した領域を含んでいてもよい。
【００３１】
容器は、任意の好適なプロセスを用いて作製することができる。
【００３２】
好適なプロセスとしては、熱成形、射出成型、射出延伸吹き込み成型、押出吹き込み成型、又はこれらの混合物、好ましくは、熱成形若しくは射出成型、又はこれらの混合物が挙げられるが、これに限られない。
【００３３】
好適なプロセスとしては、平坦なラミネートから溶接工程を用いた管の成形、押出成形による管の成形、折りたたみ、又はこれらの混合が挙げられるが、これに限られない。
【００３４】
容器は、不透明、半透明、又はこれらの混合であってもよい。好ましくは、容器は不透明である。
【００３５】
容器は、基部を備える。静止時、基部は、表面に静止されるように、容器の下側に配置される。基部は、略平坦であってもよく、すなわち、他の領域に対して略隆起した領域を備えなくてもよい。あるいは、基部は、隆起領域を備えてもよい。これは、単位容量物が破裂して洗剤組成物が漏れても、これを捕捉可能な、容器内の貯蔵部を作る利点を有する。これは、破裂していない単位容量物と漏れ出した組成物との間の、望ましくない接触を最少化する利点を有する。
【００３６】
容器は、基部に対向して位置決めされた開口を備える。少なくとも１つの壁部は、当該基部から当該開口に、垂直に延在する。本明細書中の文脈において、垂直とは、略垂直を意味する。換言すれば、壁は、ちょうど９０°の角度で基部から延在するのでなく、ちょうど９０°からいずれかの側にぶれ得る。当業者は、いかなる関連のぶれがあり得るか、理解するであろう。壁は、基部に対して、７５°〜１０５°、好ましくは、８０°〜１００°、より好ましくは、８５°〜９５°の角度で基部から延在してもよい。好ましくは、容器は、当該基部と当該開口との間に延在する、少なくとも２つの壁部、好ましくは、少なくとも３つの壁部、最も好ましくは、少なくとも４つの壁部を備える。好ましくは、容器は、容器が全体として四角又は矩形の形状を有するように、４つの壁部を備える。
【００３７】
少なくとも１つの壁部は、当該少なくとも１つの壁部の上方縁部にて終端する。上方縁部は、少なくとも壁部の頂上部であると理解されなければならない。上方縁部は、基部と平行になるように、水平であることが好ましい。しかしながら、上方縁部は、完全に水平である必要はなく、例えば、上昇領域を有するか、又は、略対角線方向に延び得る。
【００３８】
上面の幅は、少なくとも１つの壁の厚さに対応し得る。しかしながら、上面は、少なくとも１つの壁部より薄くてもよく、又は厚くてもよい。上面は、同一の容器内で異なる厚さを備えてもよい。１つの壁部の上面の厚さは、同一の容器の他の壁部の上面の厚さと異なってもよい。
【００３９】
上面の厚さは、１ｍｍ〜８ｍｍ、好ましくは、２ｍｍ〜６ｍｍであってもよい。
【００４０】
実際のところ、少なくとも１つの壁部は、少なくとも２つのセクションを備えてもよい。この２つのセクションは、高さ、厚さ、又はその双方が異なってもよい。上方縁部の幅は、少なくとも１つの壁部の１つのセクションの厚さに対応してもよい。
【００４１】
この少なくとも２つのセクションは、機械的接続を介して、接着剤を介して、又はこれらの組み合わせにより、ともに接合される。機械的接続は、これらのセクションの一方又は双方に、簡易のフックを備えてもよい。好ましくは、少なくとも２つのセクションは、機械的接続と接着剤との双方を使用して、ともに接合される。接着剤とは、ホットメルト接着剤、反応性ホットメルト接着剤、熱硬化性接着剤、感圧性接着剤、接触接着剤接着剤を意味する。好ましくは、この接着剤は、ホットメルト感圧性接着剤である。好ましくは、ホットメルト感圧性接着剤は、上述の１つ以上の材料を含む材料の範囲に粘着及び結合することが好適である。好ましくは、少なくとも１つの壁部は、下方セクションと、上方セクションと、を備える。下方セクションは、基部から隆起する。そして、上方セクションは、好ましくは、接着剤を介して下方セクションに接合され、上方縁部を備える。あるいは、少なくとも２つのセクションは、双方のセクションが基部から互いに隣接して隆起するように、垂直に配置されてもよい。
【００４２】
少なくとも１つの壁部は、剛性材料、可塑性材料、又はこれらの組み合わせで作製されてもよい。基部は、剛性材料、可塑性材料、又はこれらの組み合わせで作製されてもよい。少なくとも１つの壁部は、上方セクションと、下方セクションと、を備えてもよく、上方セクションは、剛性材料で作製され、下方セクションは、可塑性材料で作製され、好ましくは、基部は、可塑性材料で作製される。
【００４３】
少なくとも１つの壁部は、内面と、外面と、を備える。外面は、容器の外部環境と接触している一方で、内壁は、容器の内部環境と接触している。
【００４４】
基部及び少なくとも１つの壁部は、内部コンパートメントを規定する。少なくとも１つの壁部の内面は、内部コンパートメントの環境に接触している。
【００４５】
内部コンパートメントには、開口からアクセス可能である。容器は、１つを超える数の内部コンパートメントを備えてもよい。容器は、少なくとも１つのコンパートメント、又は少なくとも２つのコンパートメント、又は少なくとも３つのコンパートメントを備えてもよい。
【００４６】
容器はまた、蓋部を備える。蓋部は、ヒンジを介して、開放位置から閉鎖位置に移動可能である。蓋部は、閉鎖位置にあるとき、開口を覆う。本明細書中、「開口を覆う」とは、好ましくは、開口の面積のうちの少なくとも９０％、より好ましくは、少なくとも９５％、更により好ましくは、少なくとも９８％が、蓋部で覆われていることを意味する。Ｆ製造公差などにより、閉鎖時にも、依然として上方縁部と蓋部との間にギャップが生じることもあるが、存在するいずれのギャップも、ユーザが開口にアクセスできるほどの大きさではなく、又は、少なくとも１つの水溶性単位容量物が、内部コンパートメントから故意又は偶発的に取り出されるほどの大きさではない旨、理解されなければならない。
【００４７】
開口の少なくとも一部は、恒久的カバーを備え、蓋部は、開口の残りの領域を覆う。
【００４８】
蓋は、閉鎖時に０°の角度であると想定すると、閉鎖時の角度に対して、０°を超える角度〜２７０°、好ましくは、６０°〜１８０°、より好ましくは、９０°〜１５０°の最大角度まで開放可能である。
【００４９】
容器は、少なくとも１つの係止手段を備える。好ましくは、容器は、少なくとも２つの係止手段を備える。好ましくは、この少なくとも２つの係止手段は、５０ｍｍ〜１８０ｍｍの距離離間する。少なくとも２つの係止手段は、同一の壁部上に存在してもよく、又は異なる壁部上に存在してもよく、好ましくは、同一の壁部上に存在する。好ましくは、容器は、２つの係止手段を備えることにより、消費者の手の数に合致するようにし、消費者が協調した動作で容器を開放できるようにする。
【００５０】
係止手段は、蓋部要素と、壁部要素と、を備える。換言すれば、係止手段の構成要素は、蓋部上又は蓋部内に配置され、係止手段の分離構成要素が、少なくとも１つの壁部の内面上、又は、上方縁部上に配置される。蓋部要素と壁部要素との相互作用により、結果として、係止手段が係合され、蓋部が係止位置に固定される。
【００５１】
蓋部要素は、好ましくは、フック部材を収容可能な、蓋部内の単なる陥没部であるか、又は穴部である。陥没部又は穴部は、フック部材を受容することができ、フック部材を係合させて、蓋部を定位置に係止し、またこの係合を解除するのに適切な動作を介して、フック部材を係合解除させることのできる限り、任意の好適な形状を備えることができる。
【００５２】
壁部要素は、支持部材と、フック部材と、を備える。支持部材は、少なくとも１つの壁部の上方縁部、又は、少なくとも１つの壁部の内面から延在する。フック部材は、支持部材に取り付けられる。支持部材及びフック部材は、ともに接合される、２つの別体であってもよい。あるいは、支持部材及びフック部材は、１つの一体部品で形成することができる。
【００５３】
好ましくは、支持部材及びフック部材は、壁部要素が逆Ｕ字形状となるように、配置される。好ましくは、Ｕ字形状は、内壁又は上方縁部から支持部材まで延在する、水平接続部材、好ましくは、略水平接続部材を介して、内壁又は上方縁部に取り付けられる。本明細書において、略水平とは、接続部材が完全な水平でなく、僅かに角度を有してもよいことを意味する。当業者は、いかなる関連のぶれがあり得るか、理解するであろう。接続部材は、内壁に対して７５°〜１０５°、好ましくは、８０°〜１００°、より好ましくは８５°〜９５°の角度で、内壁から延在してもよい。接続部材は、この角度に関わらず、依然として、完全に水平な接続部材と同一の利点を達成するであろう。
【００５４】
蓋部が閉鎖位置にあるとき、フック部材は、蓋部要素と係合して、壁部要素を蓋部要素から係合解除するのに、フック部材への力の付与が必要となる。好ましくは、壁部要素を蓋部要素から係合解除するために、ユーザにより、反力が必要とされる。このような反力は、好ましくは、指又は親指をフック部材上に配置し、他の手指を壁部の外面又は蓋部の側方に配置するという、指／親指で挟む動作の結果として生じるものである。そして、ユーザは、親指と指でともに挟んで、蓋部の側方又は壁部の外面を、反力を及ぼす面として使用して、壁部要素を蓋部要素から係合解除する。
【００５５】
フック部材は、支持部材から容器の内部に延在し、壁部要素を蓋部要素から係合解除するのに、フック部材に力の付与を要するようにする。フック部材への力の付与は、内壁に向かう方向である。換言すると、力の付与により、フック部材を、内壁から延在する支持部材に向かって押す。
【００５６】
好ましくは、支持部材は、少なくとも１つの壁部の内面から延在し、壁部要素は、少なくとも１つの壁部の上方縁部より高く延在しないように位置決めされる。換言すると、壁部部材は、少なくとも１つの壁部の高さを上回って突出しない。
【００５７】
好ましくは、壁部要素が蓋部要素と係合する際、支持部材及びフック部材は、フック部材が回転移動に抵抗しつつも、依然として、壁部要素の蓋部要素への係合によって課される力に応じて、壁部要素を全体として移動させるように配置される。換言すると、係合中、壁部要素は変位されるものの、蓋部要素の壁部要素への係合の際、元の位置に戻る。この変位の間、好ましくは、フック部材自体は、支持部材に対して変位されない。
【００５８】
あるいは、壁部要素の蓋部要素に対する係合の際、支持部材及びフック部材は、支持部材が任意の移動に抵抗しつつも、依然として、壁部要素の蓋部要素に対する係合によって課される力に応じて、フック部材を移動させるように配置される。換言すると、係合中、フック部材は変位されるものの、蓋部要素の壁部要素に対する係合の際、元の位置に戻る。
【００５９】
好ましくは、フック部材は、蓋部要素と２つの軸で係合する。これについては、実施例で例証する。
【００６０】
好ましくは、フック部材を蓋部要素から係止解除することで、蓋部又は少なくとも１つの壁部を変形させることはない。本明細書中、変形とは、フック部材を蓋部要素から係止解除するために、壁部又は蓋部の形状の恒久的又は一時的な変形が必要でないことを意味する。ユーザが係止手段を開放する力により、壁部又は蓋部の形状に何らか僅かな一時的変形が起こってもよいが、このような僅かな変形は、係止手段の動作に必要でない。
【００６１】
好ましくは、少なくとも１つの壁部の外面は、あらゆる係止手段も備えない。これは、好ましくは、係止手段のいずれの要素も、少なくとも１つの壁部の外面上に存在しないことを意味する。この場合、係止手段とは、上述の係止手段又はその他任意の係止手段を意味し得る。
【００６２】
好ましくは、容器は、容器に亘る最大水平断面積として規定される設置面積を有し、少なくとも１つの係止手段は、容器の設置面積を超えて延在しない。換言すると、少なくとも１つの係止手段は、好ましくは、少なくとも１つの壁部の外面をいくらか超えて、外部環境に延在しないことを意味する。
【００６３】
好ましくは、蓋部は、外側隆起部に包囲された陥没部を備える。好ましくは、蓋部要素は、この外側隆起部内に含まれる。外側隆起部は、内側、外側、頂上部を備えてもよく、蓋部要素は、内側、頂上部、又はこれらの組み合わせ内に含まれる。好ましくは、蓋部要素は、蓋部を貫通した穴部である。
【００６４】
好ましくは、蓋部は、閉鎖位置において、蓋部の最大横断面積として規定される設置面積を有し、容器は、容器に亘る横断面積として規定される設置面積を有し、蓋部の設置面積は、容器の設置面積よりも大きい。換言すると、蓋部の面積は、好ましくは、蓋部の開口及び上方縁部の面積よりも大きい。これは、蓋部が閉鎖位置にあるとき、容器の開口を完全に覆い、少なくとも１つの壁部の上方縁部上方に延在することが好ましいことを意味する。好ましくは、リップは、リップの設置面積が、蓋部の設置面積と同一であるか、又はこれを超えるように、少なくとも１つの壁部の外面から延在する。リップが蓋部の設置面積より大きくなるポイントまで延在すると、リップは、「Ｌ」字形状又は「Ｊ」字形状を有してもよい。リップは、係止手段と並ぶ領域内で中断してもよい。換言すると、リップは、不連続であってもよく、係止手段が少なくとも１つの壁部の上方縁部又は内壁上に存在する箇所に対応して、ギャップを備えてもよい。理論に束縛されるものではないが、このギャップは、指／親指で挟む動作の反力ポイントとしても機能してよい。蓋部は、消費者の指又は親指に対する反力面として作用する要素を備えてもよい。
【００６５】
蓋部は、ヒンジを介して、開放位置から閉鎖位置に、又はその逆に、移動することができる。好ましくは、蓋部は、少なくとも１つのヒンジを介して、容器に取り付けられる。より好ましくは、容器は、第１の壁部と、第２の壁部と、を備え、ヒンジは、第２の壁部に接続され、第１の壁部は、第２の壁部に対向して位置決めされ、第１の壁部は、少なくとも１つの係止手段、好ましくは、少なくとも２つの係止手段を備える。
【００６６】
ヒンジは、任意の好適なヒンジとすることができる。当業者は、好適なヒンジを認識しているであろう。ヒンジは、リビングヒンジ、アセンブルヒンジ、又はこれらの組み合わせであってもよい。リビングヒンジは、蓋部及び容器と同一の材料で作製された、一体の構成要素であると理解される。これは、本質的に、蓋部と容器との間の移動を可能にする材料の、薄い可塑性領域である。
【００６７】
好ましくは、ヒンジはリビングヒンジである。リビングヒンジは、双安定ヒンジ、バタフライヒンジ、又はこれらの組み合わせであってもよい。
【００６８】
容器は、蓋部を開放位置に向かって付勢する付勢システムを備えてもよい。付勢システムは、弾性部材を備えてもよい。より好ましくは、蓋部が閉鎖位置にあるとき、閉鎖システム上、好ましくは、蓋部上に配置された突出部が、弾性部材を弾性変形させる。
【００６９】
蓋部は、蓋部の閉鎖時の係止手段の位置、及び／又は、係止手段を解放するために力を付与する必要のある方向を、消費者に示すための、型押し又はエンボス加工領域を備えてもよい。
【００７０】
組立方法
消費製品は、任意の好適な技術を使用して組み立てられてもよい。当業者は、好適な技術を認識しているであろう。消費製品は、自動システム、手動システム、又はこれらの組み合わせを使用して組み立てられてもよい。
【００７１】
消費製品は、容器を形成すること、次いで、水溶性単位容量物を加えること、次いで蓋部を閉鎖することにより、組み立てられてもよい。容器の充填は、好適な自動プロセスを介して、又は手動で行われてもよい。
【００７２】
消費製品は、基部及び下方壁部セクションを形成することによって組み立てられてもよい。その後、水溶性単位用量物が加えられる。その後、上方壁部セクションと、水溶性単位容量物を収容した基部とに、蓋を備えて別に製造された上方壁部セクションが加えられる。容器の充填は、好適な自動プロセスを介して、又は手動で行われてもよい。
【００７３】
水溶性単位用量物品
消費製品は、少なくとも１つの水溶性単位容量物、好ましくは、少なくとも２つの水溶性単位容量物を備える。
【００７４】
水溶性単位用量物品は、一般的に、パウチの形態である。水溶性単位用量物品は、最終用途で利益を与えるのに十分な体積として、組成物の単位用量を含む。
【００７５】
水溶性単位用量物品は、単位用量物品が水溶性フィルムによって囲まれた少なくとも１つの内部区画を含むような形状の少なくとも１つの水溶性フィルムを含む。少なくとも１つのコンパートメントは、洗浄組成物を備える。水溶性フィルムは、貯蔵中に洗浄組成物がコンパートメントから漏れ出さないように密封される。しかしながら、水溶性単位用量物品を水に加えると、水溶性フィルムが溶解して、内部区画の内容物が洗浄液中に放出される。
【００７６】
フィルムについて、以下でより詳細に記載する。
【００７７】
単位用量物品は、１より多い区画、更には少なくとも２の区画、又は更には少なくとも３の区画、又は更には少なくとも４の区画、又は更には少なくとも５の区画を含んでいてもよい。区画は、重ね合わせる配置で、すなわち、一方が他方の上に位置するように配置されてよい。代替的に、区画は、隣り合った配置で、すなわち、一方が他方に隣接する配向で位置してよい。区画は、更には「タイヤ及びリム」構成での配置であってよく、すなわち、第１の区画は、第２の区画に隣接して位置するが、第１の区画は、第２の区画を少なくとも部分的に取り囲み、第２の区画を完全には囲まない。代替的に、１つの区画が別の区画内に完全に囲まれてもよい。
【００７８】
単位用量物品が少なくとも２つの区画を含む場合、区画の一方が他方の区画より小さくてもよい。単位用量物品が少なくとも３つの区画を含む場合、区画のうちの２つが第３の区画より小さくてもよく、好ましくは、小さい方の区画が大きい方の区画上に重ね合わせられている。重ね合わせられた区画は、好ましくは、隣り合って配置される。
【００７９】
洗浄組成物は、洗濯用洗浄組成物、自動食器洗浄組成物、硬質表面洗浄組成物、又はこれらの組み合わせであってもよい。洗浄組成物は、固体、液体、又はこれらの混合物を含んでいてもよい。液体との用語は、ゲル、溶液、懸濁物、ペースト、又はこれらの混合物を含む。
【００８０】
単位用量物品は、高さ、幅、長さを有する。これらの寸法のいずれかの最大値は、単位用量物品の両側の２つの点の間の最大距離を意味するものとする。言い換えると、単位用量物品は、まっすぐな辺を有していない場合もあるため、測定がなされる場所に応じて変わり得る長さ、幅、高さを有し得る。したがって、最大値は、互いに最も離れている任意の２つの点で測定する必要がある。
【００８１】
最大長さは、２ｃｍ〜５ｃｍ、又は更には２ｃｍ〜４ｃｍ、又は更には２ｃｍ〜３ｃｍであってもよい。最大長さは、２ｃｍより大きく、６ｃｍ未満であってもよい。
【００８２】
最大幅は、２ｃｍ〜５ｃｍであってもよい。最大幅は、３ｃｍより大きく、６ｃｍ未満であってもよい。
【００８３】
最大高さは、２ｃｍ〜５ｃｍであってもよい。最大高さは、２ｃｍより大きく、４ｃｍ未満であってもよい。
【００８４】
これらの長さは、フランジが存在する状態であってもよく、フランジが存在しない状態であってもよい。
【００８５】
好ましくは、長さと高さとの比率は３：１〜１：１であり、又は、幅と高さとの比率は３：１〜１：１、又は更には２．５：１〜１：１であり、又は、長さと高さとの比率は３：１〜１：１、幅と高さとの比率は３：１〜１：１、又は更には２．５：１〜１：１、又はこれらの組み合わせである。これらの比率は、フランジが存在する状態であってもよく、フランジが存在しない状態であってもよい。
【００８６】
それぞれの個々の単位用量物品は、１０ｇ〜４０ｇ、又は更には１５ｇ〜３５ｇの重量を有していてもよい。
【００８７】
本発明のフィルムは、水溶性又は水分散性である。単位用量物品が作られる前に、水溶性フィルムは、好ましくは、厚さが２０μｍ〜１５０μｍ、好ましくは３５μｍ〜１２５μｍ、更により好ましくは５０μｍ〜１１０μｍ、最も好ましくは約７６μｍである。
【００８８】
好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【００８９】
好ましくは、水溶性フィルムは、ポリビニルアルコールポリマー又はコポリマー、好ましくは、ポリビニルアルコールポリマー及び／又はポリビニルアルコールコポリマーのブレンドを含み、好ましくは、スルホン化及びカルボキシル化アニオン性ポリビニルアルコールコポリマー、特にカルボキシル化アニオン性ポリビニルアルコールコポリマーから選択され、最も好ましくは、ポリビニルアルコールホモポリマーとカルボキシル化アニオン性ポリビニルアルコールコポリマーのブレンドを含む。
【００９０】
好ましいフィルムには、Ｍｏｎｏｓｏｌによって商品参照番号Ｍ８６３０、Ｍ８９００、Ｍ８７７９、Ｍ８３１０として供給されているものがある。
【００９１】
フィルムは、不透明、透明又は半透明であってもよい。フィルムは、印刷された領域を含んでもよい。
【００９２】
印刷領域は、フレキソ印刷又はインクジェット印刷などの標準的な技術を使用して得ることができる。
【００９３】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又|は更には２５０〜２０００ｒｐｍが挙げられるが、これらに限定されない。
【００９４】
水溶性単位容量物は、洗剤組成物を含む。洗剤組成物は、任意の好適な洗剤組成物であり得る。洗剤組成物は、洗濯洗剤組成物、食器洗浄洗剤組成物、硬質表面洗浄洗剤組成物、又はこれらの混合物からなる群より選択されてもよく、好ましくは洗濯洗剤組成物であってもよい。洗剤組成物は任意の好適な形態であってよい。洗剤組成物は、固体、液体、又はこれらの混合物であってよい。
【００９５】
当業者は、既知の知識及び技術を用いて好適な洗剤組成物をどのように配合し、製造するかを知っているだろう。洗剤組成物は、界面活性剤、ポリマー、漂白剤、酵素、香料、染料、構造化剤、フィラー、水又はこれらの混合物を含む一般的な洗剤成分を含んでいてもよい。
【００９６】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【実施例】
【００９７】
（実施例１）
ここで、以下の実施例により本発明を例示する。
【００９８】
図１は、本発明に係る消費製品を開示している。消費製品（１）は、容器（２）と、内部に収容される少なくとも１つの水溶性単位容量物（３）と、を備える。当該容器（２）は、基部（４）と、基部（４）に対向して位置決めされた開口と、当該基部（４）から当該開口まで垂直に延在する少なくとも１つの壁部（６）と、を備える。当該少なくとも１つの壁部（６）は、当該少なくとも１つの壁部（６）の上方縁部（７）で終端し、当該壁部（６）は、内面（８）と、外面（９）と、を備える。当該基部（４）及び少なくとも１つの壁部（６）は、内部コンパートメント（１０）を規定し、内部コンパートメント（１０）は、開口（５）からアクセス可能である。容器はまた、ヒンジ（１２）を介して、開放位置から閉鎖位置に移動可能であり、閉鎖位置にあるとき、開口（５）を覆う蓋部（１１）を備える。
【００９９】
容器（２）は、少なくとも１つの係止手段（１３）を備え、係止手段（１３）は、蓋部要素（１４）と、壁部要素（１５）と、を備える。壁部要素（１５）は、少なくとも１つの壁部（６）の上方縁部（７）、又は、少なくとも１つの壁部（６）の内面（８）から延在する支持部材（１６）と、フック部材（１７）と、を備える。蓋部（１１）が閉鎖位置にあるとき、フック部材（１７）は、蓋部要素（１４）と係合し、フック部材（１７）への力の付与のみにより、壁部要素（１５）が蓋部要素（１４）から係合解除されるようにする。フック部材（１７）は、支持部材（１６）から容器（１０）の内部に向かって延在し、蓋部要素（１４）から壁部要素（１５）を係合解除するのに、フック部材（１７）への力の付与を要するようにし、この力の付与は、内面（８）に向かう方向である。少なくとも１つの壁部（６）の外面（９）は、何らの係止手段も備えない。容器（２）は、不透明、半透明、又はこれらの組み合わせであり、ポリプロピレン、ポリスチレン、高密度ポリエチレン、ポリエチレンテレフタレート、又はこれらの組み合わせで作製される。
【０１００】
図２は、壁部要素（１５）が、少なくとも１つの壁部（６）の内面（８）に直接取り付けられた支持部材（１６）を備えることを示す、断面図を開示している。壁部要素（１５）は、逆Ｕ字型の形状である。
【０１０１】
図３は、壁部要素（１５）が、少なくとも１つの壁部（６）の上方縁部（７）に取り付けられた支持部材（１６）を備えることを示す、断面図を開示している。壁部要素（１５）は、逆Ｕ字型の形状である。
【０１０２】
図４は、壁部要素（１５）が、水平接続部材（１８）を介して、少なくとも１つの壁部の内面（８）に取り付けられた支持部材（１６）を備えることを示す、断面図を開示している。壁部要素（１５）は、逆Ｕ字型の形状である。
【０１０３】
図５は、壁部要素（１５）が、水平接続部材（１８）を介して、少なくとも１つの壁部の内面（８）に取り付けられた支持部材（１６）を備えることを示す、断面図を開示している。壁部要素（１５）は、逆Ｕ字型の形状である。支持部材（１６）は、少なくとも１つの壁部（６）の内面（８）から延在して、壁部要素（１５）が少なくとも１つの壁部（６）の上方縁部（７）より高く延在しないよう位置決めされるようにする。
【０１０４】
図６は、蓋部（１１）が閉鎖位置にあることを示す、断面図を開示している。壁部要素（１５）は、蓋部要素（１４）と係合し、蓋部（１１）は、定位置に係止される。
【０１０５】
図７は、内壁（８）に向かう方向における、フック部材（１７）への力（１９）の付与により、壁部要素（１５）から蓋部要素（１４）を解放することで、蓋部（１１）を開口（５）から離れるように径方向に移動させる（２０）ことを示す、断面図を開示している。蓋部要素（１４）からフック部材（１７）を係止解除することにより、蓋部（１１）又は少なくとも１つの壁部（６）を変形させることはない。本明細書中、変形とは、フック部材を蓋部要素から係止解除するために、壁部又は蓋部の形状の恒久的又は一時的な変形が必要でないことを意味する。ユーザが係止手段を開放する力により、壁部又は蓋部の形状に何らかの僅かな一時的変形が起こってもよいが、このような僅かな変形は、係止手段の動作に必要でない。
【０１０６】
図８は、容器（２）の展開図を開示しており、少なくとも１つの壁部（６）が、２つのセクション、基部（４）に接続された下方セクション（２１）と、上方セクション（２２）とを備えることを示している。上方縁部（７）は、上方セクション（２２）上に位置決めされ、壁部要素（１５）は、上方セクションに取り付けられる。
【０１０７】
図９は、容器（２）の上面図を開示しており、容器（２）は、容器（２）に亘る横断面積として規定される設置面積を有し、少なくとも１つの係止手段（１３）は、容器（２）の設置面積を超えて延在しないことを示している。比較として、図１０は、容器（２）の上面図を開示しており、容器（２）は、容器（２）に亘る横断面積として規定される設置面積を有し、少なくとも１つの係止手段（１３）は、容器（２）の設置面積を超えて延在することを示している。
【０１０８】
図１１は、外側隆起部（２４）に包囲された陥没部（２３）を備える蓋部（１１）を開示しており、蓋部要素（１４）が外側隆起部（２４）内に含まれることを示している。外側隆起部（２４）は、内側（２５）、外側（２７）、及び頂上部（２６）を備え、蓋部要素（１４）は、内側（２５）及び頂上部（２６）内に含まれる。蓋部要素（１４）は、蓋部を貫通する穴部である。
【０１０９】
図１２は、消費製品（１）を開示しており、容器（２）の少なくとも１つの壁部（６）が、２つのセクション、上方セクション（２２）及び下方セクション（２１）を備えることを示している。この２つのセクションは、好ましくは、機械的接続（フック）及び接着剤の組み合わせにより、ともに接合される。容器（２）はまた、５０ｍｍ〜１５０ｍｍの距離離間した２つの係止手段（１３）を備える。壁部要素（１５）は、少なくとも１つの壁部（６）の上方縁部（７）より高く延在しないように、位置決めされる。蓋部（１１）は、外側隆起部（２４）で包囲された陥没部（２３）を備え、蓋部要素（１４）は、外側隆起部（２４）内に含まれる。外側隆起部（２４）は、内側（２５）、外側（２７）、及び頂上部（２６）を備え、蓋部要素（１４）は、内側（２５）及び頂上部（２６）内に含まれる。蓋部要素（１４）は、蓋部を貫通する穴部である。
【０１１０】
図１２はまた、リップ（２５）を備える容器（２）を開示している。蓋部（１１）は、閉鎖時、蓋部（１１）の横断面積として規定される設置面積を有し、容器（２）は、容器（２）に亘る横断面積として規定される設置面積を有し、蓋部（１１）の設置面積は、容器（２）の設置面積より大きく、リップ（３５）は、少なくとも１つの壁部（６）の外面（９）から延在して、リップ（２５）の設置面積が、蓋部（１１）の設置面積と同一であるか、又はこれを超えるようにする。当業者であれば、「蓋部及び容器の設置面積」が何を意味するものであるか、理解するであろう。
【０１１１】
図１３は、第１の壁部（６１）及び第２の壁部（６２）を備える容器（２）の断面図を開示しており、ヒンジ（１２）が第２の壁部（６２）に接続され、第１の壁部（６１）が第２の壁部（６２）に対向して位置決めされ、第１の壁部（６１）が少なくとも１つの壁部要素（１５）、好ましくは、少なくとも２つの壁部要素（１５）を備えることを示している。
【０１１２】
図１４は、蓋部要素（１４）が壁部要素（１５）と係合する間の壁部要素（１５）の移動を示す図である。壁部要素（１５）が蓋部要素（１４）と係合すると、支持部材（１６）及びフック部材（１７）は、フック部材（１７）が回転移動に抵抗する一方で、依然として、壁部要素（１４）の蓋部要素（１５）への係合によって課される力に応じて、壁部要素（１５）を全体として移動させるように配置される。蓋部（１１）が壁部要素（１５）に向かって下方（２８）に移動されると、壁部要素は、壁部要素（１５）に掛かる蓋部（１１）の力によって変位させられる（２９）。しかしながら、フック部材（１７）は、変位しない。蓋部要素（１４）が壁部要素（１５）と係合すると、壁部要素（１５）は、元の位置に戻る。
【０１１３】
図１５は、容器（２）の断面図であり、隆起領域（４１）を備えた基部（４）を示している。隆起領域（４１）のいずれかの側の領域は、１つ以上の可溶性単位容量物（３）から不本意に漏れ出た洗剤組成物を保持する貯蔵部として作用する。
【０１１４】
図１６は、図１２と同一であるが、少なくとも１つの側方（６）が湾曲している。
【０１１５】
図１７は、容器（２）を開示しており、蓋部（１１）が閉鎖され、反力領域（３１）が蓋部（１１）上に見られることを示している。
【０１１６】
図１８は、壁部要素（１５）を開示しており、フック部材（１７）が、第１の軸（１７１）と、第２の軸（１７２）とを有することを示している。
【０１１７】
図１９は、本発明に係る水溶性単位容量物を開示している。水溶性単位容量物（３）は、第１の水溶性フィルム（３０１）と、第２の水溶性フィルム（３０２）、とを備え、これらは密封領域（３０３）で共に封止されている。洗剤組成物、好ましくは、洗濯洗剤組成物（３０４）は、水溶性可溶性単位容量物（３）内に含まれる。
【０１１８】
図２０は、本発明に係る壁部要素（１５）を開示している。寸法１５１は、５ｍｍ〜１５ｍｍ、好ましくは、７ｍｍ〜１１ｍｍである。寸法１５２は、１ｍｍ〜３ｍｍ、好ましくは、１．５ｍｍ〜２．５ｍｍである。寸法１５３は、２０ｍｍ〜４０ｍｍ、好ましくは、２５ｍｍ〜３５ｍｍである。寸法１５４は、１５ｍｍ〜３０ｍｍ、好ましくは、２０ｍｍ〜２７ｍｍである。寸法１５５は、２ｍｍ〜６ｍｍ、好ましくは、３ｍｍ〜５ｍｍである。寸法１５６は、１０ｍｍ〜２０ｍｍ、好ましくは、１４ｍｍ〜１８ｍｍである。
【図１】
2021500278.tif 000003
【図２】
2021500278.tif 000004
【図３】
2021500278.tif 000005
【図４】
2021500278.tif 000006
【図５】
2021500278.tif 000007
【図６】
2021500278.tif 000008
【図７】
2021500278.tif 000009
【図８】
2021500278.tif 000010
【図９】
2021500278.tif 000011
【図１０】
2021500278.tif 000012
【図１１】
2021500278.tif 000013
【図１２】
2021500278.tif 000014
【図１３】
2021500278.tif 000015
【図１４】
2021500278.tif 000016
【図１５】
2021500278.tif 000017
【図１６】
2021500278.tif 000018
【図１７】
2021500278.tif 000019
【図１８】
2021500278.tif 000020
【図１９】
2021500278.tif 000021
【図２０】
2021500278.tif 000022
【国際調査報告】
2021500278.tif 000023
2021500278.tif 000024